(57)【要約】【課題】  リクライニングベッドで使用される枕を覆うための枕カバーについて、クライニングベットの背もたれ部分を起立させた状態での枕のずり落ちを確実に防止し、安価に製造できるようにし、長期使用できるようにする。【解決手段】  枕Ｓが内部に収納される布材の袋形のカバー本体１と、カバー本体１に取付けられ布団の上端部から裏側面に配設される長さに形成された広幅の布材の延長布２と、延長布２の先端部を加工して形成され布団の裏側面とリクライニングベッドの背もたれ部分との間に挟込まれる滑止材Ｓが着脱可能に収納される袋部３とからなる。【選択図】図１
0003175807.tif 000002
【実用新案登録請求の範囲】
【請求項１】
枕が内部に収納される袋形のカバー本体と、カバー本体に取付けられ布団の上端部から裏側面に配設される長さに形成された広幅の延長布と、延長布の先端部を加工して形成され布団の裏側面とリクライニングベッドの背もたれ部分との間に挟込まれる滑止材が着脱可能に収納される袋部とからなる枕カバー。
【請求項２】
請求項１の枕カバーにおいて、袋部は延長布の先端部を折返して先端縁を延長布の中途部に固定して平板形の滑止材を抜差しにより着脱可能にした方形の袋形状であることを特徴とする枕カバー。
【請求項３】
請求項１または２の枕カバーにおいて、カバー本体，延長布，袋部は布材を逢着することにより形成されていることを特徴とする枕カバー。
【考案の詳細な説明】
【技術分野】
【０００１】  本考案は、リクライニングベッド（起床式寝台）で使用される枕を覆うための枕カバーに係る技術分野に属する。
【背景技術】
【０００２】  最近、医療用，介護用として背もたれ部分を起伏可能にしたリクライニングベッドが普及してきている。このリクライニングベッドでは、患者の床ずれの防止等の目的で背もたれ部分を長時間起立させた状態で使用する際に、患者の姿勢の安定性等から枕が必要になることがある。然しながら、リクライニングベットの背もたれ部分を起立させた状態で枕を使用すると、枕が傾斜した布団（マット）の上を滑ってずり落ちてしまうという不具合が生じてしまう。このため、リクライニングベットの背もたれ部分を起立させた状態での枕のずり落ちを防止することのできる技術の開発が要望されている。【０００３】  従来、リクライニングベットの背もたれ部分を起立させた状態での枕のずり落ちを防止することを指向した技術としては、例えば、特許文献１に記載のものが知られている。【０００４】  特許文献１には、枕が内部に収納されるカバー本体と、カバー本体に取付けられ布団の上端部から裏側面に配設される長さに形成されたベルトと、ベルトの先端部に取付けられ布団の裏側面とリクライニングベッドの背もたれ部分との間に挟込まれる粘着性ゴム材の滑止材とからなる枕カバーが記載されている。【０００５】  特許文献１に係る枕カバーは、枕をカバー本体に収納して、ベルトを布団の上端部から裏側面に配設し滑止材を布団の裏側面とリクライニングベッドの背もたれ部分との間に介在させることで、滑止材を布団の裏側面とリクライニングベッドの背もたれ部分との間で摩擦によって固定させて枕（枕カバー）をベルトで吊持ちする格好となるようにして、リクライニングベットの背もたれ部分を起立させても枕がずり落ちないようにするものである。
【先行技術文献】
【特許文献】
【０００６】
【特許文献１】  実開平７−１３２６５号公報
【考案の概要】
【考案が解決しようとする課題】
【０００７】  特許文献１に係る枕カバーでは、布材からなるカバー本体に非布材のベルト，滑止材が非着脱可能に取付けられるため、通常布材のみで製造される枕カバーに比して製造コストが高くなるとともに、洗濯に不適となって長期使用が不能であるという問題点がある。また、滑止材がベルトの先端部に取付けられ摩擦面積が小さな小片状であるため、滑止材の摩擦による固定力が弱く枕のずり落ちを完全に防止することができないという問題点がある。【０００８】  本考案は、このような問題点を考慮してなされたもので、リクライニングベットの背もたれ部分を起立させた状態での枕のずり落ちを確実に防止すことができしかも安価に製造することができて長期使用が可能な枕カバーを提供することを課題とする。
【課題を解決するための手段】
【０００９】  前述の課題を解決するため、本考案に係る枕カバーは、実用新案登録請求の範囲の各請求項に記載の手段を採用する。【００１０】  即ち、請求項１では、枕が内部に収納される布材の袋形のカバー本体と、カバー本体に取付けられ布団の上端部から裏側面に配設される長さに形成された広幅の布材の延長布と、延長布の先端部を加工して形成され布団の裏側面とリクライニングベッドの背もたれ部分との間に挟込まれる滑止材が着脱可能に収納される袋部とからなる。【００１１】  この手段では、カバー本体，延長布，袋部が布材からなることで、通常布材のみで製造される枕カバーの材料特性が選択される。また、布材に特定されない滑止材が袋部に対して着脱可能とされることで、滑止材を袋部から取外した状態でのカバー本体，延長布，袋部の洗濯が可能になる。また、広幅の延長布の先端部に滑止材が収納される袋部が設けられることで、滑止材を大きくして摩擦面積を拡張することができ、広幅の延長布が布団の上端部から裏側面に配設されて布団に当接されることで、延長布が滑止材としても機能することになる。【００１２】  また、請求項２では、請求項１の枕カバーにおいて、袋部は延長布の先端部を折返して先端縁を延長布の中途部に固定して平板形の滑止材を抜差しにより着脱可能にした方形の袋形状であることを特徴とする。【００１３】  この手段では、袋部が延長布の先端部の折返し固定からなる加工で平板形の滑止材が抜差しされる方形の袋形状形成されることで、手間の掛かる特殊な加工が避けられている。【００１４】  また、請求項３では、請求項１または２の枕カバーにおいて、カバー本体，延長布，袋部は布材を逢着することにより形成されていることを特徴とする。【００１５】  この手段では、布材の縫製技術を利用してカバー本体，延長布，袋部を形成することで、手間の掛かる特殊な加工が避けられるとともに各部の取付強度が強化される。
【考案の効果】
【００１６】  本考案に係る枕カバーは、カバー本体，延長布，袋部が布材からなることで、通常布材のみで製造される枕カバーの材料特性が選択されるため、安価に製造することができる効果がある。また、布材に特定されない滑止材が袋部に対して着脱可能とされることで、滑止材を袋部から取外した状態でのカバー本体，延長布，袋部の洗濯が可能になるため、長期使用が可能になる効果がある。また、広幅の延長布の先端部に滑止材が収納される袋部が設けられることで、滑止材を大きくして摩擦面積を拡張することができ、広幅の延長布が布団の上端部から裏側面に配設されて布団に当接されることで、延長布が滑止材としても機能することになるため、リクライニングベットの背もたれ部分を起立させた状態での枕のずり落ちを確実に防止すことができる効果がある。【００１７】  さらに、請求項２として、袋部が延長布の先端部の折返し固定からなる加工で平板形の滑止材が抜差しされる方形の袋形状形成されることで、手間の掛かる特殊な加工が避けられているため、より安価に製造することができる効果がある。【００１８】  さらに、請求項３として、布材の縫製技術を利用してカバー本体，延長布，袋部を形成することで、手間の掛かる特殊な加工が避けられるとともに各部の取付強度が強化されるため、より安価に製造することができるとともに、洗濯等による損傷が防止されより長期使用が可能になる効果がある。
【図面の簡単な説明】
【００１９】
【図１】  本考案に係る枕カバーを実施するための形態の斜視図であり、（Ａ）に枕，滑止材の取外し状態が示され、（Ｂ）に枕，滑止材の取付け状態が示されている。
【図２】  図１（Ａ）の拡大された縦断面図である。
【図３】  図１（Ｂ）の使用状態の側面断面図である。
【図４】  図３の正面図である。
【考案を実施するための形態】
【００２０】  以下、本考案に係る枕カバーを実施するための形態を図面に基づいて説明する。
【００２１】  この形態では、ほぼ直方体形の標準的な枕Ｓと長方形の平板状の合成樹脂材等の滑止材Ｐとを対象とするものを示してある。
【００２２】  この形態は、図１に示すように、布材で縫着されたカバー本体１，延長布２，袋部３からなる。
【００２３】  カバー本体１は、図２に詳細に示されるように、長方形の布片１１，１２を２枚重ねて３辺を糸で１３逢着し縫着部分が内側になるように裏返しにして枕Ｓが内部に収納される袋形に形成されている。このカバー本体１については、縫着されていない１辺の開口部１４から枕Ｓを内部に収納し（図１（Ａ）参照）、開口部１４付近の余裕代を袋形の内部に差込む（図１（Ｂ）参照）ことによって枕Ｓの被覆が完成することができる。
【００２４】  延長布２は、図３，図４に示されるように、布団Ｍの上端部から裏側面に配設される長さに形成された幅広の布材に形成されている。この延長布２は、図２に詳細に示されるように、長方形の１枚の布片２１の基端部がカバー本体１の布片１１，１２の長手辺の間に挟込まれて布片１１，１２を逢着する糸１３でともに縫着されさらに別の糸２２でカバー本体１の布片１１，１２に外側から縫着されることで、カバー本体１に取付けられている。
【００２５】  袋部３は、延長布２の先端部を加工して形成され布団Ｍの裏側面とリクライニングベッドの背もたれ部分Ｂとの間に挟込まれる滑止材Ｓが着脱可能に収納されるようになっている。この袋部３は、図２に詳細に示されるように、延長布２の布片２１の先端部を折返して先端縁を延長布２の布片２１の中途部に糸３１で逢着して固定した方形の袋形状に形成されている。この袋部３については、糸３１で縫着されていない開口部３２から長方形の平板状の滑止材Ｐを抜差して着脱することができる。なお、開口部３２については、延長布２の布片２１の長手辺の両側に設けることもできるし片側にのみ設けることもできる。
【００２６】  この形態によると、カバー本体１，延長布２，袋部３が布材で形成されているため、安価に製造することができるとともに、洗濯を行うことができて長期使用が可能になる。洗濯に際しては、カバー本体１から枕Ｓを取出し、袋部３から滑止材Ｐを引抜くようにして取出せばよい。従って、洗濯が面倒になることはない。
【００２７】  また、カバー本体１，延長布２，袋部３が布材の重ね折返しの縫着で形成され、手間の掛かる特殊な加工が避けられていることも、安価な製造に寄与している。また、カバー本体１，延長布２，袋部３が縫着で強固に組付けられていることから、各部の取付強度が強化され洗濯等による損傷が防止されて、長期使用の可能性を高めることになる。
【００２８】  この形態を使用するには、前述の特許文献１に係る枕カバーとほぼ同様に、枕Ｓをカバー本体１に収納し、滑止材Ｐを袋部３に収納して、延長布２を布団Ｍの上端部から裏側面に配設し滑止材Ｐを布団Ｍの裏側面とリクライニングベッドの背もたれ部分Ｂとの間に介在させることで、滑止材Ｐを布団Ｍの裏側面とリクライニングベッドの背もたれ部分Ｂとの間で摩擦によって固定させて枕Ｓを延長布２で吊持ちする格好となるようにする。
【００２９】  この使用状態では、広幅の延長布２の先端部に滑止材Ｓが収納される袋部３が設けられることで、滑止材Ｐを大きくして摩擦面積を拡張することができる。また、広幅の延長布２が布団Ｍの上端部から裏側面に配設されて布団に広い幅ａで当接されることで、延長布２が滑止材Ｐとしても機能することになる。従って、リクライニングベットの背もたれ部分Ｂを起立させた状態での枕Ｓのずり落ちを確実に防止すことができる。
【００３０】  なお、使用状態では、カバー本体１への延長布２の取付部分に強いテンションが掛かることになるが、カバー本体１，延長布２が２種類の縫着構造で強固に連結されて充分な耐久性が確保されている。
【００３１】  以上、図示した形態の外に、カバー本体１の形状を枕Ｓの形状に対応して適宜変更することも可能である。
【００３２】  さらに、滑止材Ｐをタオル，新聞紙等で代用することも可能である。
【産業上の利用可能性】
【００３３】  本考案に係る枕カバーは、医療用，介護用のリクライニングベッドに限られず、一般居住用のリクライニングソファにおける枕兼用クッション等にも適用が可能である。
【符号の説明】
【００３４】１            カバー本体
２            延長布
３            袋部
Ｂ            リクライニングベッドの背もたれ部分
Ｍ            布団
Ｐ            滑止材
Ｓ            枕
【図１】
0003175807.tif 000003
【図２】
0003175807.tif 000004
【図３】
0003175807.tif 000005
【図４】
0003175807.tif 000006